【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
ラント障害検出器において、
入力信号、第１の電圧しきい値、及び第２の電圧のしきい値に応答する、しきい値コンパレータであって、該しきい値コンパレータは、前記入力信号が前記第１の電圧しきい値を横切って、前記第２の電圧しきい値から離れる第１の方向へと遷移する時には第１の遷移信号を生成し、前記入力信号が前記第２の電圧しきい値を横切って、前記第１の方向とは逆の第２の方向へと遷移する時には第２の遷移信号を生成する、しきい値コンパレータと、
前記第１の遷移信号、及び前記第２の遷移信号に応答する完全遷移検出器であって、該完全遷移検出器は、前記入力信号が前記第２の電圧しきい値を横切り、続いて前記第１の方向へ前記第１の電圧しきい値を横切る完全な遷移を検出した時に、第１の完全遷移信号を生成する、完全遷移検出器と、
前記第１の完全遷移信号、及び前記第１の遷移信号に応答するラント検出器であって、該ラント検出器は、前記第１の完全遷移信号を検出し、続いて前記第２の遷移信号の検出をはさむことなく前記第１の遷移信号を検出した時に、ラント障害信号を生成する、ラント検出器
を備える、検出器。
【請求項２】
前記しきい値コンパレータは、
前記入力信号が、前記第１の方向へと前記第１の電圧しきい値を横切って遷移した時に、前記第１の遷移信号を生成するために、前記入力信号、及び前記第１の電圧しきい値を受信するように接続された、第１のしきい値コンパレータと、
前記入力信号が、前記第２の方向へと前記第２の電圧しきい値を横切って遷移した時に、前記第２の遷移信号を生成するために、前記入力信号、及び前記第２の電圧しきい値を受信するように接続された、第２のしきい値コンパレータ
を含む、請求項１の検出器。
【請求項３】前記完全遷移検出器は、前記第１の遷移信号を受信するためのセット入力部、前記第２の遷移信号を受信するためのリセット入力部、及び前記第１の完全遷移信号を生成するための第１のＳ−Ｒフリップフロップ出力部を有するＳ−Ｒフリップフロップを更に含む、請求項１の検出器。
【請求項４】
前記完全遷移検出器は、供給電圧に接続された第１のデータ入力部、前記第１の遷移信号を受信するために接続された第１のクロック入力部、前記第２の遷移信号を受信するために接続されたリセット入力部、及び前記第１の完全遷移信号を生成するための第１のフリップフロップ出力部を有する、第１のＤ−フリップフロップを更に含む、請求項１の検出器。
【請求項５】
前記ラント検出器は、前記第１の完全遷移信号を検出し、続いて前記第２の遷移信号をはさむことなく前記第１の遷移信号を検出した時に、第１のラント障害信号を生成するために、第1のデータ入力部において、前記第1の完全遷移信号を受信し、第1のクロック入力部において、前記第1の遷移信号を受信するように接続された、第１のＤ−フリップフロップを含む、請求項１の検出器。
【請求項６】
前記しきい値コンパレータは、
前記入力信号が、前記第１の方向へと前記第１の電圧しきい値を横切って遷移した時に、前記第１の遷移信号を生成するために、前記入力信号、及び前記第１の電圧しきい値を受信するように接続された、第１のしきい値コンパレータと、
前記入力信号が、前記第２の方向へと前記第２の電圧しきい値を横切って遷移した時に、前記第２の遷移信号を生成するために、前記入力信号、及び前記第２の電圧しきい値を受信するように接続された、第２のしきい値コンパレータ
を備え、
前記完全遷移検出器は、前記第１の遷移信号を受信するためのセット入力部、前記第２の遷移信号を受信するためのリセット入力部、及び前記第１の完全遷移信号を生成するための第１のＳ−Ｒフリップフロップ出力部を有するＳ−Ｒフリップフロップを含み、
前記ラント検出器は、前記第１の完全遷移信号を検出し、続いて前記第２の遷移信号をはさむことなく前記第１の遷移信号を検出した時に、第１のラント障害信号を生成するために、第1のデータ入力部において、前記第1の完全遷移信号を受信し、第1のクロック入力部において、前記第1の遷移信号を受信するように接続された、第１のＤ−フリップフロップを含む、
ことからなる、請求項１の検出器。
【請求項７】
前記しきい値コンパレータは、
前記入力信号が、前記第１の方向へと前記第１の電圧しきい値を横切って遷移した時に、前記第１の遷移信号を生成するために、前記入力信号、及び前記第１の電圧しきい値を受信するように接続された、第１のしきい値コンパレータと、
前記入力信号が、前記第２の方向へと前記第２の電圧しきい値を横切って遷移した時に、前記第２の遷移信号を生成するために、前記入力信号、及び前記第２の電圧しきい値を受信するように接続された、第２のしきい値コンパレータ
を含み、
前記完全遷移検出器は、供給電圧に接続された第１のデータ入力部、前記第１の遷移信号を受信するために接続されたクロック入力部、前記第２の遷移信号を受信するために接続されたリセット入力部、及び前記第１の完全遷移信号を生成するための第１のフリップフロップ出力部を有する第１のＤ−フリップフロップを含み、
前記ラント検出器は、前記第１の完全遷移信号を検出し、続いて前記第２の遷移信号をはさむことなく前記第１の遷移信号を検出した時に、第１のラント障害信号を生成するために、第1のデータ入力部において、前記第1の完全遷移信号を受信し、第1のクロック入力部において、前記第1の遷移信号を受信するように接続された、第１のＤ−フリップフロップを含む、
ことからなる、請求項１の検出器。
【請求項８】
前記完全遷移検出器は、前記入力信号が前記第１の電圧しきい値を横切り、続いて前記第２の方向へ前記第２の電圧しきい値を横切ることによる完全遷移を検出した時に、第２の完全遷移信号を更に生成し、前記ラント検出器は、前記第２の完全遷移信号を検出し、続いて前記第１の遷移信号の検出をはさむことなく前記第２の遷移信号を検出した時に、ラント障害信号を生成するために、前記第２の完全遷移信号、及び前記第２の遷移信号に更に応答することからなる、請求項１の検出器。
【請求項９】
前記しきい値コンパレータは、
前記入力信号が、前記第１の方向へと前記第１の電圧しきい値を横切って遷移した時に、前記第１の遷移信号を生成するために、前記入力信号、及び前記第１の電圧しきい値を受信するように接続された、第１のしきい値コンパレータと、
前記入力信号が、前記第２の方向へと前記第２の電圧しきい値を横切って遷移した時に、前記第２の遷移信号を生成するために、前記入力信号、及び前記第２の電圧しきい値を受信するように接続された、第２のしきい値コンパレータ
を含む、請求項８の検出器。
【請求項１０】
前記完全遷移検出器は、供給電圧に接続された第２のデータ入力部、前記第２の遷移信号を受信するために接続された第２のクロック入力部、前記第１の遷移信号を受信するために接続された第２のリセット入力部、及び前記第２の完全遷移信号を生成するための第２のフリップフロップ出力部を有する、第２のＤ−フリップフロップを更に含む、請求項８の検出器。
【請求項１１】
前記ラント検出器は、
前記第１の完全遷移信号を検出し、続いて前記第２の遷移信号をはさむことなく前記第１の遷移信号を検出した時に、第１のラント障害信号を生成するために、第１のラントデータ入力部において、前記第1の完全遷移信号を受信し、第1のラントクロック入力部において、前記第1の遷移信号を受信するように接続された、第１のラントＤ−フリップフロップと、
前記第２の完全遷移信号を検出し、続いて前記第１の遷移信号をはさむことなく前記第２の遷移信号を検出した時に、第２のラント障害信号を生成するために、第２のラントデータ入力部において、前記第２の完全遷移信号を受信し、第２のラントクロック入力部において、前記第２の遷移信号を受信するように接続された、第２のラントＤ−フリップフロップ
を含むことからなる、請求項８の検出器。
【請求項１２】
前記第１のラント障害信号、又は前記第２のラント障害信号のどちらか一方、又は両方の検出時に、ラント障害信号を生成するための信号結合器を更に含む、請求項８の検出器。
【請求項１３】
前記信号結合器は、ＯＲゲートを含む、請求項１２の検出器。
【請求項１４】
前記しきい値コンパレータは、
前記入力信号が、前記第１の方向へと前記第１の電圧しきい値を横切って遷移した時に、前記第１の遷移信号を生成するために、前記入力信号、及び前記第１の電圧しきい値を受信するように接続された、第１のしきい値コンパレータと、
前記入力信号が、前記第２の方向へと前記第２の電圧しきい値を横切って遷移した時に、前記第２の遷移信号を生成するために、前記入力信号、及び前記第２の電圧しきい値を受信するように接続された、第２のしきい値コンパレータ
を含み、
前記完全遷移検出器は、前記第１の遷移信号を受信するためのセット入力部、前記第２の遷移信号を受信するためのリセット入力部、前記第１の完全遷移信号を生成するための第１のＳ−Ｒフリップフロップ出力部、及び前記第２の完全遷移信号を生成するための第２のＳ−Ｒフリップフロップ出力部を有するＳ−Ｒフリップフロップを含み、
前記ラント検出器は、
前記第１の完全遷移信号を検出し、続いて前記第２の遷移信号をはさむことなく前記第１の遷移信号を検出した時に、第１のラント障害信号を生成するために、第１のデータ入力部において、前記第1の完全遷移信号を受信し、第1のクロック入力部において、前記第1の遷移信号を受信するように接続された、第１のＤ−フリップフロップと、
前記第２の完全遷移信号を検出し、続いて前記第１の遷移信号をはさむことなく前記第２の遷移信号を検出した時に、第２のラント障害信号を生成するために、第２のデータ入力部において、前記第２の完全遷移信号を受信し、第２のクロック入力部において、前記第２の遷移信号を受信するように接続された、第２のＤ−フリップフロップ
を含むことからなる、請求項８の検出器。
【請求項１５】
前記しきい値コンパレータは、
前記入力信号が、前記第１の方向へと前記第１の電圧しきい値を横切って遷移した時に、前記第１の遷移信号を生成するために、前記入力信号、及び前記第１の電圧しきい値を受信するように接続された、第１のしきい値コンパレータと、
前記入力信号が、前記第２の方向へと前記第２の電圧しきい値を横切って遷移した時に、前記第２の遷移信号を生成するために、前記入力信号、及び前記第２の電圧しきい値を受信するように接続された、第２のしきい値コンパレータ
を含み、
前記完全遷移検出器は、
供給電圧に接続された第１のデータ入力部、前記第１の遷移信号を受信するために接続された第１のクロック入力部、前記第２の遷移信号を受信するために接続されたリセット入力部、及び前記第１の完全遷移信号を生成するための第１のフリップフロップ出力部を有する、第１のＤ−フリップフロップと、
供給電圧に接続された第２のデータ入力部、前記第２の遷移信号を受信するために接続された第２のクロック入力部、前記第１の遷移信号を受信するために接続された第２のリセット入力部、及び前記第２の完全遷移信号を生成するための第２のフリップフロップ出力部を有する、第２のＤ−フリップフロップ
を含み、
前記ラント検出器は、
前記第１の完全遷移信号を検出し、続いて前記第２の遷移信号をはさむことなく前記第１の遷移信号を検出した時に、第１のラント障害信号を生成するために、第１のラントデータ入力部において、前記第1の完全遷移信号を受信し、第1のラントクロック入力部において、前記第1の遷移信号を受信するように接続された、第１のラントフリップフロップと、
前記第２の完全遷移信号を検出し、続いて前記第１の遷移信号をはさむことなく前記第２の遷移信号を検出した時に、第２のラント障害信号を生成するために、第２のラントデータ入力部において、前記第２の完全遷移信号を受信し、第２のラントクロック入力部において、前記第２の遷移信号を受信するように接続された、第２のラントフリップフロップ
を含むことからなる、請求項８の検出器。
【請求項１６】
入力信号と、第１の電圧しきい値との交差、及び第２の電圧しきい値との交差による遷移にのみ基づいて、前記入力信号のラント障害を検出するための方法において、
（ａ）  前記入力信号を監視することにより、前記入力信号が前記第１の電圧しきい値に向かう第１の方向へと、前記第２の電圧しきい値を横切り、続いて前記第１の方向へと前記第１の電圧しきい値を横切る遷移を検出した時には、第１の完全遷移信号を生成するステップと、
（ｂ）  前記入力信号を監視して、
（ｉ）  前記入力信号が、前記第１の方向へと前記第１の電圧しきい値を横切る遷移を検出した時には、第１の遷移信号を生成し、
（ｉｉ）  前記入力信号が、前記第１の方向とは反対の第２の方向へと前記第２の電圧しきい値を横切る遷移を検出した時には、第２の遷移信号を生成するステップと、
（ｃ）  前記第１の完全遷移信号と前記第１の遷移信号を監視することにより、前記第１の完全遷移信号を検出し、続いて前記第２の遷移信号の検出をはさむことなく、前記第１の遷移信号を検出した時には、ラント障害信号を生成するステップ
を含む、方法。
【請求項１７】
（ｄ）  前記入力信号を監視して、前記入力信号が前記第１の電圧しきい値を横切り、続いて前記第２の方向へと前記第２の電圧しきい値を横切る完全な遷移を検出した時には、第２の完全遷移信号を生成するステップと、
（ｅ）  前記入力信号を監視して、
（ｉ）  前記入力信号が、前記第１の方向へと前記第１の電圧しきい値を横切る遷移を検出した時には、第１の遷移信号を生成し、
（ｉｉ）  前記入力信号が、前記第２の方向へと前記第２の電圧しきい値を横切る遷移を検出した時には、第２の遷移信号を生成するステップと、
（ｆ）  前記第２の完全遷移信号と前記第２の遷移信号を監視することにより、前記第２の完全遷移信号を検出し、続いて前記第１の遷移信号の検出をはさむことなく、前記第２の遷移信号を検出した時には、ラント障害信号を生成するステップ
を更に含む、請求項１６の方法。
【請求項１８】
入力信号と、第１の電圧しきい値との交差、及び第２の電圧しきい値との交差による遷移にのみ基づいて、前記入力信号のラント障害を検出するための方法において、
（ａ）  前記入力信号を監視することにより、前記入力信号が、前記第１の電圧しきい値に向かう第１の方向へと、前記第２の電圧しきい値を横切り、続いて前記第１の方向へと前記第１の電圧しきい値を横切り、続いて前記第１の方向とは反対の第２の方向へと前記第１の電圧しきい値を横切る遷移を検出した時には、第１の完全遷移信号を生成するステップと、
（ｂ）  前記入力信号を監視して、
（ｉ）  前記入力信号が、前記第１の方向へと前記第１の電圧しきい値を横切る遷移を検出した時には、第１の遷移信号を生成し、
（ｉｉ）  前記入力信号が、前記第２の方向へと前記第２の電圧しきい値を横切る遷移を検出した時には、第２の遷移信号を生成するステップと、
（ｃ）  前記第１の完全遷移信号と前記第１の遷移信号を監視することにより、前記第１の完全遷移信号を検出し、続いて前記第２の遷移信号の検出をはさむことなく、前記第１の遷移信号を検出した時には、ラント障害信号を生成するステップ
を含む、方法。
【請求項１９】
（ｄ）  前記入力信号を監視することにより、前記入力信号が、前記第２の方向へと前記第１の電圧しきい値を横切り、続いて前記第２の電圧しきい値を横切り、続いて前記第１の方向へと前記第２の電圧しきい値を横切る完全な遷移を検出した時には、第２の完全遷移信号を生成するステップと、
（ｅ）  前記入力信号を監視して、
（ｉ）  前記入力信号が、前記第１の方向へと前記第１の電圧しきい値を横切る遷移を検出した時には、第１の遷移信号を生成し、
（ｉｉ）  前記入力信号が、前記第２の方向へと前記第２の電圧しきい値を横切る遷移を検出した時には、第２の遷移信号を生成するステップと、
（ｆ）  前記第２の完全遷移信号と前記第２の遷移信号を監視することにより、前記第２の完全遷移信号を検出し、続いて前記第１の遷移信号の検出をはさむことなく、前記第２の遷移信号を検出した時には、ラント障害信号を生成するステップ
を更に含む、請求項１８の方法。
【手続補正２】
【補正対象書類名】明細書
【補正対象項目名】００４８
【補正方法】変更
【補正の内容】
【００４８】
信号Full_Low_Transition46及び信号Full_High_Transition45に対応するＳ−Ｒフリップフロップ707の出力信号P711,Q721が、正のラントフリップフロップ730及び負のラントフリップフロップ740のデータ入力731,741にそれぞれ供給される。好適実施例の場合、正のラントフリップフロップ730及び負のラントフリップフロップ740は、一対の正のエッジトリガ式Ｄ−フリップフロップで実施される。従って、正のラントフリップフロップ730のデータ入力731は、Ｓ−Ｒフリップフロップ707からの出力信号P711を受信し、負のラントフリップフロップ740のデータ入力741は出力信号Q721を受信する。


【手続補正３】
【補正対象書類名】明細書
【補正対象項目名】００６５
【補正方法】変更
【補正の内容】
【００６５】
「正」及び「負」の両方のラントパルスを同時に検出できるようにするために、好適実施例では、Positive_Runt信号735及びNegative_Runt信号745は、随意選択可能な正及び負のラントイネーブルゲート750,760をそれぞれ通った後に、ＯＲゲート770によってＯＲ演算がなされる。